(57)【要約】      （修正有）【課題】  挟持部がずれ難く、風等によって開かれるときに、付加的に増大する抵抗を有する布団挟みを提供する。【解決手段】  バネ付きヒンジ６を介して回転可能に接続され、先端部が閉じる方向に付勢された第一、第二アーム２、３と、  第一、第二主アーム２、３の先端部に設けられた第一、第二ヒンジ７、８を介して第一、第二主アーム２、３に接続され、バネ付きヒンジ６に近づく方向に延在する近位部材を有し、前記近位部材の先端部には近位支点部４ａ、５ａが形成され、前記近位部材が、近位支点部４ａ、５ａを支点として第一、第二ヒンジ７、８が移動するように、第一、第二主アーム２、３の回転面内で回転するように構成された第一、第二副アーム４、５とを備えた。【選択図】  図１ａ
2006094920.tif 000002
【特許請求の範囲】
【請求項１】
バネ付きヒンジを介して基端部が回転可能に接続され、先端部が閉じる方向に付勢された第一主アームと第二主アームと、
前記第一主アームの先端部に設けられた第一ヒンジを介して前記第一主アームに接続され、少なくとも前記バネ付きヒンジに近づく方向に延在する近位部材を有し、前記近位部材の先端部には近位支点部が形成され、前記近位部材が、前記近位支点部が支点となって前記第一ヒンジが前記近位支点部の支点を中心として円周上を移動するように、前記第一主アームと第二主アームの回転面内で回転するように構成された第一副アームと、
前記第二主アームの先端部に設けられた第二ヒンジを介して前記第二主アームに接続され、少なくとも前記バネ付きヒンジに向かって延在する近位部材を有し、前記近位部材の先端部には近位支点部が形成され、前記近位部材が、前記近位支点部が支点となって前記第二ヒンジが前記近位支点部の支点を中心として円周上を移動するように、前記第一主アームと第二主アームの回転面内で回転するように構成された第二副アームと、を有することを特徴とする布団挟み。
【請求項２】
バネ付きヒンジを介して基端部が回転可能に接続され、先端部が閉じる方向に付勢された第一主アームと第二主アームを有し、
前記第一主アームと第二主アームのいずれかはその先端部にヒンジを有し、前記ヒンジを介して副アームが接続され、前記副アームは少なくとも前記バネ付きヒンジに近づく方向に延在する近位部材を有し、前記近位部材の先端部には近位支点部が形成され、前記近位部材は、前記近位支点部が支点となって前記ヒンジが前記近位支点部の支点を中心として円周上を移動するように、前記第一主アームと第二主アームの回転面内で回転するように構成されていることを特徴とする布団挟み。
【請求項３】
前記第一副アームは、前記第一ヒンジに関して前記バネ付きヒンジから離れる方向に延在する遠位部材を有し、前記遠位部材の先端部には遠位支点部が形成され、
前記第二副アームは、前記第二ヒンジに関して前記バネ付きヒンジから離れる方向に延在する遠位部材を有し、前記遠位部材の先端部には遠位支点部が形成されている、ことを特徴とする請求項１または２に記載の布団挟み。
【請求項４】
前記第一副アームと前記第二副アームは所定角度以内に回転が限定されていることを特徴とする請求項１〜３のいずれかに記載の布団挟み。
【請求項５】
バネ付きヒンジを介して基端部が回転可能に接続され、先端部が閉じる方向に付勢された第一主アームと第二主アームと、
前記第一主アームの先端部に設けられた第一ヒンジを介して前記第一主アームに接続され、少なくとも前記バネ付きヒンジに近づく方向に延在する近位部材を有し、前記近位部材は外周面に、前記近位部材が前記第一主アームと第二主アームの回転面内を前記第一主アームから離れるように回転するほどに前記第一ヒンジと支点との距離が大きくなる転がり支点部を有している、第一副アームと、
前記第二主アームの先端部に設けられた第二ヒンジを介して前記第二主アームに接続され、少なくとも前記バネ付きヒンジに近づく方向に延在する近位部材を有し、前記近位部材は外周面に、前記近位部材が前記第一主アームと第二主アームの回転面内を前記第二主アームから離れるように回転するほどに前記第二ヒンジと支点との距離が大きくなる転がり支点部を有している、第二副アームと、を有していることを特徴とする布団挟み。
【請求項６】
前記第一副アームは、前記第一ヒンジに関して前記バネ付きヒンジから離れる方向に延在する遠位部材を有し、前記遠位部材の先端部には遠位支点部が形成され、
前記第二副アームは、前記第二ヒンジに関して前記バネ付きヒンジから離れる方向に延在する遠位部材を有し、前記遠位部材の先端部には遠位支点部が形成されている、ことを特徴とする請求項５に記載の布団挟み。
【請求項７】
前記第一副アームと前記第二副アームは所定角度以内に回転が限定されていることを特徴とする請求項５または６に記載の布団挟み。
【請求項８】
バネ付きヒンジを介して基端部が回転可能に接続され、先端部が閉じる方向に付勢された第一主アームと第二主アームと、
前記第一主アームの先端部に設けられた第一ヒンジを介して前記第一主アームに接続され、少なくとも前記バネ付きヒンジに近づく方向に延在する近位部材を有し、前記近位部材は先端部に挟持対象物と係合する係合部を有し、前記近位部材は、前記近位部材が前記第一主アームと第二主アームの回転面内を前記第一主アームから離れる方向に所定角度回転すると回転が停止するように構成されている、第一副アームと、
前記第二主アームの先端部に設けられた第二ヒンジを介して前記第二主アームに接続され、少なくとも前記バネ付きヒンジに近づく方向に延在する近位部材を有し、前記近位部材は先端部に挟持対象物と係合する係合部を有し、前記近位部材は、前記近位部材が前記第一主アームと第二主アームの回転面内を前記第二主アームから離れる方向に所定角度回転すると回転が停止するように構成されている、第二副アームと、を有していることを特徴とする布団挟み。
【発明の詳細な説明】
【技術分野】
【０００１】
本発明は、ふとん挟みに関する。
【０００２】
特に、本発明は、ふとん挟みの先端部が開かれようとすると布団を締め付ける力が増大し、抜けを係止する部材を有するふとん挟みに関する。
【背景技術】
【０００３】
布団を干すときに、布団を固定する道具として布団挟みが広く使用されている。
【０００４】
従来の一般的な布団挟みを図６に示す。
【０００５】
図６に示すように、従来の布団挟み２１は、第一主アーム２２と、第二主アーム２３とを有している。
【０００６】
第一主アーム２２と第二主アーム２３は、それぞれの基端部２２ａと２３ａがバネ付きヒンジ２４を介して回転可能に接続されている。
【０００７】
第一主アーム２２と第二主アーム２３は、バネ付きヒンジ２４のバネによって閉じるように付勢されている。
【０００８】
第一主アーム２２と第二主アーム２３は対称的に形成・配置されている。
【０００９】
第一主アーム２２の先端部２２ｂと第二主アーム２３の先端部２３ｂは、布団に対する挟持部をなし、挟持面は挟持するのに好都合のように凹凸形状に形成されている。
【００１０】
布団挟み２１は、手すり等にかけられた布団に上方から嵌められ、バネ付きヒンジ２４の弾発力で布団を挟持することができるようになっている。
【００１１】
先行技術文献
本願発明は、布団挟みの安定性を増し、風等によって先端部が開かれようとすると構造的に抜け難くなるように、本願発明者が独自に考案したものである。本願出願人が知る限り、従来において、本願発明の先行技術を示す文献は存在しない。
【発明の開示】
【発明が解決しようとする課題】
【００１２】
しかし、従来の布団挟みは、布団が風にあおられると、挟持部が引き開かれ、脱落することがあった。
【００１３】
また、一気に脱落に至らなくても、従来の布団挟みは当初物干し竿等に対して直角に挟着していても、風にあおられて傾斜し、挟持部がずれて布団のはためきを助長し、最後には挟持部が布団の縁部に達していっそう脱落しやすくなり、脱落するという問題があった。
【００１４】
上記現象を布団挟みの機能から解析すると、従来の布団挟みは、風等によって布団挟みのアームが開かれるときに、バネ付きヒンジのバネわずかにしか増大しないことと、挟持点がずれやすいということとに問題があった。
【００１５】
つまり、
そこで、本発明が解決しようとする課題は、脱落させられようとするときに、付加的に増大する抵抗を有する布団挟みを提供することにある。
【課題を解決するための手段】
【００１６】
本発明による布団挟みは、
バネ付きヒンジを介して基端部が回転可能に接続され、先端部が閉じる方向に付勢された第一主アームと第二主アームと、
前記第一主アームの先端部に設けられた第一ヒンジを介して前記第一主アームに接続され、少なくとも前記バネ付きヒンジに近づく方向に延在する近位部材を有し、前記近位部材の先端部には近位支点部が形成され、前記近位部材が、前記近位支点部が支点となって前記第一ヒンジが前記近位支点部の支点を中心として円周上を移動するように、前記第一主アームと第二主アームの回転面内で回転するように構成された第一副アームと、
前記第二主アームの先端部に設けられた第二ヒンジを介して前記第二主アームに接続され、少なくとも前記バネ付きヒンジに向かって延在する近位部材を有し、前記近位部材の先端部には近位支点部が形成され、前記近位部材が、前記近位支点部が支点となって前記第二ヒンジが前記近位支点部の支点を中心として円周上を移動するように、前記第一主アームと第二主アームの回転面内で回転するように構成された第二副アームと、を有することを特徴とする。
【００１７】
また、本発明による布団挟みは、
バネ付きヒンジを介して基端部が回転可能に接続され、先端部が閉じる方向に付勢された第一主アームと第二主アームを有し、
前記第一主アームと第二主アームのいずれかはその先端部にヒンジを有し、前記ヒンジを介して副アームが接続され、前記副アームは少なくとも前記バネ付きヒンジに近づく方向に延在する近位部材を有し、前記近位部材の先端部には近位支点部が形成され、前記近位部材は、前記近位支点部が支点となって前記ヒンジが前記近位支点部の支点を中心として円周上を移動するように、前記第一主アームと第二主アームの回転面内で回転するように構成されていることを特徴とする。
【００１８】
前記第一副アームは、前記第一ヒンジに関して前記バネ付きヒンジから離れる方向に延在する遠位部材を有し、前記遠位部材の先端部には遠位支点部が形成され、
前記第二副アームは、前記第二ヒンジに関して前記バネ付きヒンジから離れる方向に延在する遠位部材を有し、前記遠位部材の先端部には遠位支点部が形成されているようにすることができる。
【００１９】
前記第一副アームの前記第一ヒンジから前記第一副アームの遠位支点部の支点までの腕の長さは、前記第一副アームの前記第一ヒンジから前記第一副アームの近位支点部の支点までの腕の長さより短く形成され、
前記第二副アームの前記第二ヒンジから前記第二副アームの遠位支点部の支点までの腕の長さは、前記第二副アームの前記第二ヒンジから前記第二副アームの近位支点部の支点までの腕の長さより短く形成されているようにすることができる。
【００２０】
前記第一副アームと前記第二副アームは所定角度以内に回転が限定されているようにすることができる。
【００２１】
本発明による布団挟みは、
バネ付きヒンジを介して基端部が回転可能に接続され、先端部が閉じる方向に付勢された第一主アームと第二主アームと、
前記第一主アームの先端部に設けられた第一ヒンジを介して前記第一主アームに接続され、少なくとも前記バネ付きヒンジに近づく方向に延在する近位部材を有し、前記近位部材は外周面に、前記近位部材が前記第一主アームと第二主アームの回転面内を前記第一主アームから離れるように回転するほどに前記第一ヒンジと支点との距離が大きくなる転がり支点部を有している、第一副アームと、
前記第二主アームの先端部に設けられた第二ヒンジを介して前記第二主アームに接続され、少なくとも前記バネ付きヒンジに近づく方向に延在する近位部材を有し、前記近位部材は外周面に、前記近位部材が前記第一主アームと第二主アームの回転面内を前記第二主アームから離れるように回転するほどに前記第二ヒンジと支点との距離が大きくなる転がり支点部を有している、第二副アームと、を有していることを特徴とする。
【００２２】
前記第一副アームは、前記第一ヒンジに関して前記バネ付きヒンジから離れる方向に延在する遠位部材を有し、前記遠位部材の先端部には遠位支点部が形成され、
前記第二副アームは、前記第二ヒンジに関して前記バネ付きヒンジから離れる方向に延在する遠位部材を有し、前記遠位部材の先端部には遠位支点部が形成されているようにすることができる。
【００２３】
前記第一副アームと前記第二副アームは所定角度以内に回転が限定されているようにすることができる。
【００２４】
本発明による布団挟みは、
バネ付きヒンジを介して基端部が回転可能に接続され、先端部が閉じる方向に付勢された第一主アームと第二主アームと、
前記第一主アームの先端部に設けられた第一ヒンジを介して前記第一主アームに接続され、少なくとも前記バネ付きヒンジに近づく方向に延在する近位部材を有し、前記近位部材は先端部に挟持対象物と係合する係合部を有し、前記近位部材は、前記近位部材が前記第一主アームと第二主アームの回転面内を前記第一主アームから離れる方向に所定角度回転すると回転が停止するように構成されている、第一副アームと、
前記第二主アームの先端部に設けられた第二ヒンジを介して前記第二主アームに接続され、少なくとも前記バネ付きヒンジに近づく方向に延在する近位部材を有し、前記近位部材は先端部に挟持対象物と係合する係合部を有し、前記近位部材は、前記近位部材が前記第一主アームと第二主アームの回転面内を前記第二主アームから離れる方向に所定角度回転すると回転が停止するように構成されている、第二副アームと、を有していることを特徴とする。
【００２５】
前記第一副アームの近位部材は、前記第一主アームと第二主アームの回転面内を前記第一主アームから離れるように付勢するバネを有し、
前記第二副アームの近位部材は、前記第一主アームと第二主アームの回転面内を前記第二主アームから離れるように付勢するバネを有しているようにすることができる。
【発明の効果】
【００２６】
本発明の布団挟みは、外力によって布団挟みの先端部が開き、布団から抜けさせられるようになったときに、第一および第二副アームの近位部材の先端部の近位支点部が支点となって、近位部材が回転し、第一および第二ヒンジが前記近位支点部の支点を中心とする円周上を移動する。
【００２７】
すなわち、第一および第二副アームの近位部材が近位支点部を支点として布団から立ち上がるように回転する。
【００２８】
その結果、第一主アームと第二主アームが大きく拡開し、バネ付きヒンジが大きく開かれることによって増大したバネ力が支点に付加的にかかり、大きな力で布団を挟着し、布団を押さえつけて元の状態に復元させることができる。
【００２９】
第一および第二副アームの近位部材が、それらの外周面に、近位部材が第一および第二主アームの回転面内を第一および第二主アーム離れるように回転するほどに第一および第二ヒンジと支点との距離が大きくなる転がり支点部を有している布団挟みの場合も同様である。
【００３０】
本発明によれば、布団挟みが外力によって先端部が開き、布団から抜けさせられるようになったときに、上記第一および第二副アームの近位部材が回転し、外周面と布団との転がり支点と第一および第二ヒンジとの間の距離が増大する。
【００３１】
すなわち、第一主アームと第二主アームの近位部材は、カムのようになり、布団と接触しながら回転し、回転するほどに転がり支点と第一および第二ヒンジとの間の距離が増大し、それによって第一主アームと第二主アームが大きく拡開し、バネ付きヒンジが大きく開かれ、増大したバネ力が支点に付加的にかかり、大きな力で布団を挟着し、布団を押さえつけて元の状態に復元させることができる。
【００３２】
また、近位部材先端部に係合部を有し、前記近位部材が前記第一主アームと第二主アームの回転面内を前記第一主アームから離れるように所定角度回転すると回転が停止するように構成されている本発明の布団挟みによれば、前記近位部材がいわば抜け防止の返しのように作用する。
【００３３】
すなわち、布団挟みが外力によって先端部が開き、布団から抜けさせられるようになったときに、第一および第二副アームの近位部材が第一および第二主アームの回転面内を第一および第二主アームから離れるように回転し、所定角度回転すると回転を停止する。
【００３４】
そのような状態で、布団挟みがさらに布団から抜けさせられるようになったときは、上記第一および第二副アームの近位部材の係合部が布団と係合し、それ以上布団挟みが抜け落ちることを防止することができる。
【発明を実施するための最良の形態】
【００３５】
以下に本発明の実施の形態について説明する。
【００３６】
図１ａ，１ｂ，１ｃは、本発明の一実施形態による布団挟みの構成を示している。
【００３７】
図１ａ，１ｂ，１ｃは共通の布団挟みを示しており、図１ａは閉じたところを示し、図１ｂは両副アームの遠位支点部（バネ付きヒンジから遠い端部）が開いたところを示し、図１ｃは両副アームの近位支点部（バネ付きヒンジから近い端部）が開いたところを示している。
【００３８】
図１ａ，１ｂ，１ｃに示すように、本実施形態の布団挟み１は、第一主アーム２と、第二主アーム３と、第一副アーム４と、第二副アーム５とを有している。
【００３９】
第一主アーム２と第二主アーム３、および、第一副アーム４と第二副アーム５は、それぞれ対をなし、対称的に配置されている。
【００４０】
第一主アーム２と第二主アーム３は、バネ付きヒンジ６を介して基端部２ａ，３ａが回転可能に接続されている。
【００４１】
第一主アーム２と第二主アーム３は、バネ付きヒンジ６のバネによって閉じる方向に付勢されている。
【００４２】
第一主アームの先端部２ｂには第一ヒンジ７が設けられている。同様に、第二主アームの先端部３ｂには第二ヒンジ８が設けられている。
【００４３】
第一副アーム４は、第一ヒンジ７を介してその両端部の間の一部分で第一主アームの先端部２ｂに揺動可能に接続されている。
【００４４】
ここで、第一副アーム４の第一ヒンジ７からバネ付きヒンジ６に近づく方向に延在する部分を第一副アーム４の近位部材という。
【００４５】
反対に第一副アーム４の第一ヒンジ７に関してバネ付きヒンジ６離れる方向に延在する部分を第一副アーム４の遠位部材という。
【００４６】
第二副アーム５は、第二ヒンジ８を介してその両端部の間の一部分で第二主アームの先端部３ｂに揺動可能に接続されている。
【００４７】
第二副アーム５の第二ヒンジ８からバネ付きヒンジ６に近づく方向に延在する部分を第二副アーム５の近位部材という。
【００４８】
第二副アーム５の第二ヒンジ８に関してバネ付きヒンジ６離れる方向に延在する部分を第二副アーム５の遠位部材という。
【００４９】
第一副アーム４の近位部材の先端部には近位支点部４ａが形成され、遠位部材の先端部には遠位支点部４ｂが形成されている。
【００５０】
同様に、第二副アーム５の先端部には近位支点部５ａが形成され、遠位部材の先端部には遠位支点部５ｂが形成されている。
【００５１】
第一副アームの近位支点部４ａと第二副アームの近位支点部５ａ、および、第一副アームの遠位支点部４ｂと第二副アームの遠位支点部５ｂは、それぞれ対をなして布団に対する挟持部をなす。
【００５２】
本実施形態においては、第一副アームの近位支点部４ａと第二副アームの近位支点部５ａはそれぞれ外周面に凹凸がある円柱状部分を有している。
【００５３】
第一副アームの遠位支点部４ｂと第二副アームの遠位支点部５ｂはそれぞれ対向面が波形形状に形成され、挟持に好適な形状になっている。
【００５４】
第一副アーム４と第二副アーム５は、それぞれ第一ヒンジ７と第二ヒンジ８を支点にして揺動することができるようになっている。
【００５５】
第一副アーム４と第二副アーム５の揺動範囲は限定する必要はないが、第一副アームの近位支点部４ａと第二副アームの近位支点部５ａが抜け防止の返しのように機能するために、ある程度の揺動範囲に限定することが好ましい。
【００５６】
図１ｂは、最大限第一副アームの近位支点部４ａと第二副アームの近位支点部５ａを近づけた状態を示している。
【００５７】
図１ｃは、最大限第一副アームの遠位支点部４ｂと第二副アームの遠位支点部５ｂを開いた状態を示している。
【００５８】
次に、図２及び図３を用いて、布団挟み１の作用を説明する。
【００５９】
最初に、本発明の布団挟みが挟持する厚さに拘わらず複数の挟持点で均等に布団を挟持することができることを説明する。
【００６０】
図２は、布団を複数の点で挟持している状態の布団挟み１を示している。
【００６１】
図２において、布団９は手すりや物干し竿等（以下手すり１０という）の上にかけられ、その上から布団挟み１によって挟持されている。
【００６２】
図２は、布団挟み１が挟持する厚さが挟持する布団９の部位によって異なる場合を意図的に示している。
【００６３】
このように布団挟みが挟持する厚さが布団の部位によって異なる場合において、本実施形態の布団挟み１は、第一副アーム４と第二副アーム５が傾斜し、図２に示すように、挟持する厚さに順応し、布団９を挟持することができる。
【００６４】
しかも、第一副アーム４と第二副アーム５は、第一ヒンジ７や第二ヒンジ８を枢支点にして傾斜しても、第一ヒンジ７や第二ヒンジ８の枢支点から端部までの腕の長さの比率が変わらないので、いかなる傾斜角においても、挟持部が挟持する力の比率は変わらない。
【００６５】
すなわち、バネ付きヒンジ６によるバネの力が変わらなければ、挟持部が挟持する力の比率は変わらないので、常に一定の力で布団９を挟持することができる。
【００６６】
本実施形態の布団挟み１によれば、布団９を複数（２つ）の挟持点で挟持することができ、挟持点が風等によってずれることを効果的に防止することができる。
【００６７】
また、布団９の挟持する部位の厚さが異なる場合であっても、第一副アーム４と第二副アーム５が揺動して挟持する厚さに順応し、常に等しい圧力で布団９を挟持することができる。
【００６８】
次に、図３を用いて本発明の布団挟みが、先端が開かれようとすると、バネによる抵抗が付加的に増大して挟持する力が増大し、且つ、副アームの近位部材が脱落防止の返しのようになって布団挟みが抜け落ちるのを防止する作用を説明する。
【００６９】
なお、「付加的に増大」するとは、先端の開度に比してバネ付きヒンジ６の開度が大きくなり、先端の開度によるバネ付きヒンジ６の締付力に比して締付力が大きくなることをいう。すなわち、先端の間をわずかに開くと、第一ヒンジ７や第二ヒンジ８も動いて付加的に大きく開き、その結果バネ付きヒンジ６が大きく開いて増大した締付力で締め付けるようになることをいう。
【００７０】
図３は、手すり１０の上に布団９がかけられ、その上から布団挟み１が挟着されており、布団挟み１の先端部（第一副アームの遠位支点部４ｂと第二副アームの遠位支点部５ｂ）が開かれようとしているところを示している。
【００７１】
なお、布団挟み１の先端部（第一副アームの遠位支点部４ｂと第二副アームの遠位支点部５ｂ）が開かれようというのは、たとえば風等によって布団９がめくれるような場合が考えられ、このような力がかかるのは通常の布団挟みの使用状態においてもっとも多い状態ということができる。
【００７２】
本実施形態の布団挟み１においては、布団挟み１の先端部（第一副アームの遠位支点部４ｂと第二副アームの遠位支点部５ｂ）が開かれようとすると、第一副アームの近位支点部４ａと第二副アームの近位支点部５ａは反対に互いに接近する。
【００７３】
第一副アームの近位支点部４ａと第二副アームの近位支点部５ａは、ある程度接近するとそれ以上接近することができなくなり、次に第一副アームの近位支点部４ａと第二副アームの近位支点部５ａを支点として第一副アーム４と第二副アーム５が第一主アーム２と第二主アーム３の回転面内で回転する。
【００７４】
第一副アーム４と第二副アーム５が回転すると、第一ヒンジ７が第一副アームの近位支点部４ａを中心とする円周Ｃ１上を移動し、第二ヒンジ８が第二副アームの近位支点部５ａを中心とする円周上Ｃ２を移動するように回転する。
【００７５】
すなわち、第一副アーム４と第二副アーム５が第一副アームの近位支点部４ａと第二副アームの近位支点部５ａを支点として立ち上がるように回転し、バネ付きヒンジ６が急速に大きく拡開される。
【００７６】
バネ付きヒンジ６は、角度が開くほど大きな力で閉じようとするので、増大した力で閉じようとし、第一副アームの近位支点部４ａと第二副アームの近位支点部５ａには大きな圧力がかかるようになる。
【００７７】
以上の説明から分かるように、第一副アームの遠位支点部４ｂと第二副アームの遠位支点部５ｂが開かれると、第一副アーム４と第二副アーム５が回転し、第一主アーム２と第二主アーム３が大きく拡開され、バネ付きヒンジ６は付加的に増大した力で閉じようとする。その結果、第一副アームの遠位支点部４ｂと第二副アームの遠位支点部５ｂの挟持部には大きな力がかかり、布団９を強く挟持し、布団挟み１の脱落を防止し、元の状態に戻る。
【００７８】
また、図３に明らかに示すように、第一副アームの遠位支点部４ｂと第二副アームの遠位支点部５ｂの間の距離Ｌ１が大きくなると、第一副アームの近位支点部４ａと第二副アームの近位支点部５ａの間の距離Ｌ２が小さくなり、第一副アーム４と第二副アーム５の近位支点部側の腕が抜け防止の返しのようになって、布団９に食い込んで布団挟み１の脱落を防止する。
【００７９】
なお、第一副アーム４と第二副アーム５の回転可能な範囲は限定されないが、第一副アーム４と第二副アーム５の近位部材が確実に抜け防止の返しのようになるために、第一副アーム４と第二副アーム５の回転可能な範囲は所定の角度に限定されるのが好ましい。
【００８０】
以上のように、本発明の布団挟みによれば、挟持する厚さが布団の挟持する部位によって異なる場合であっても、第一副アームと第二副アームが揺動して順応し、挟持する厚さの相違に拘わらず常に布団を複数の挟持点で挟持し、かつ、それらの挟持点を変わらない力の配分で挟持する。これにより、布団が風等によってはためいた場合でも挟持点がずれ難く、挟持点のずれによって布団挟みが抜けやすくなる状態に至ることを防止することができる。
【００８１】
また、本発明の布団挟みによれば、第一副アーム４と第二副アーム５の遠位支点部４ｂ，５ｂが開かれようとするときは、第一副アーム４と第二副アーム５の近位支点部４ａ，５ａを支点として第一副アーム４と第二副アーム５が回転し、バネ付きヒンジ６が大きく開かれ、その反作用として第一副アーム４と第二副アーム５の近位支点部４ａ，５ａが付加的に増大した力で布団９を挟持することができる。
【００８２】
上記作用は、第一副アーム４の第一ヒンジ７の支点からその遠位支点部４ｂまでの腕の長さＬ３が、第一副アーム４の第一ヒンジ７の支点からその近位支点部４ａまでの腕の長さＬ４より短く形成されている場合に効果的である。この腕の長さの関係は第二副アーム５側についても同様である。
【００８３】
また、本発明の布団挟みによれば、第一副アーム４と第二副アーム５の遠位支点部４ｂ，５ｂが開かれようとするときは、第一副アーム４と第二副アーム５の近位支点部４ａ，５ａが互いに接近し、布団９に食い込んで抜け防止の返しのようになって布団挟み１の脱落を防止することができる。
【００８４】
なお、上記実施形態では、第一副アーム４と第二副アーム５は、ともに遠位部材と近位部材とを有している。
【００８５】
しかし、第一および第二副アーム４，５が近位部材のみを有するようにすることができる。この場合でも、布団挟み１が布団９から抜けさせられるようされると、第一副アームの近位支点部４ａと第二副アームの近位支点部５ａを支点として第一および第二副アーム４，５の近位部材が回転し、第一ヒンジ７と第二ヒンジ８が円周Ｃ１，Ｃ２上を移動し、バネ付きヒンジ６が急速に拡開し、第一副アームの近位支点部４ａと第二副アームの近位支点部５ａに付加的に増大した力がかかり、布団挟み１の抜けを防止することができる。
【００８６】
第一および第二副アーム４，５が近位部材のみを有する場合でも、第一および第二副アーム４，５が近位部材の基端部、すなわち第一ヒンジ７と第二ヒンジ８の近傍部が挟着部を形成し、複数の挟着部で布団９を挟着することができる。
【００８７】
また、上記実施形態では、第一主アーム２と第二主アーム３がともに副アーム（第一副アーム４と第二副アーム５）を有しているが、第一主アーム２と第二主アーム３の片方が副アームを有し、他方は副アームを有していない（図６の通常の形態の主アーム）場合もあり得る。
【００８８】
図４に本発明の他の実施形態を示す。
【００８９】
図４において図２と同一の部分には同一の符号を付して重複する説明を省略する。
【００９０】
本実施形態による布団挟み１１は、バネ付きヒンジ６を介して基端部が回転可能に接続され、先端部が閉じる方向に付勢された第一主アーム２と第二主アーム３とを有している。
【００９１】
第一主アーム３の先端部には第一ヒンジ７が設けられ、第一ヒンジ７を介して第一副アーム１２が回転可能に接続されている。
【００９２】
第一副アーム１２は、少なくともバネ付きヒンジ６に近づく方向に延在する近位部材１２ａを有している（本実施形態は遠位部材１２ｂを有し、第一副アームの遠位部材１２ｂの先端部に遠位支点部が形成されている）。  
第一副アームの近位部材１２ａは、その外周面に、近位部材１２ａが第一主アーム２と第二主アーム３の回転面内を第一主アーム２から離れるように回転するほどに第一ヒンジ７と支点との距離が大きくなる転がり支点部１２ｃを有している。
【００９３】
第一副アームの近位部材１２ａが第一主アーム２と第二主アーム３の回転面内を第一主アーム２から離れるように回転するとは、第一副アーム１２が図４において時計回りに回転することであり、このとき、第一副アームの転がり支点部１２ｃの支点はＴ１からＴ２に移り、第一ヒンジ７と第一副アームの転がり支点部１２ｃの支点間の距離はｒ１からｒ２になり、回転するほどに第一ヒンジ７と第一副アームの転がり支点部１２ｃの支点間の距離が増大するように第一副アームの近位部材１２ａの外周面が形成されている。
【００９４】
第一副アームの転がり支点部１２ｃは、好ましくは滑り止めの凹凸をつけるようにする。
【００９５】
以上の構成は、第二副アーム１３、第二副アームの近位部材１３ａ、第二副アームの遠位部材１３ｂ、第二副アームの転がり支点部１３ｃについても同様である。
【００９６】
本実施形態の布団挟み１１によれば、第一副アームの転がり支点部１２ｃと第二副アームの転がり支点部１３ｃはちょうどカムのようになっており、布団挟み１１が布団９から抜けられさせられるようになると、第一副アームの転がり支点部１２ｃと第二副アームの転がり支点部１３ｃが布団９と転がり接触し、第一ヒンジ７と第二ヒンジ８は図４に示す軌跡ｍ上を移動する。
【００９７】
このとき、第一ヒンジ７と第一副アームの転がり支点部１２ｃの支点間の距離、及び、第二ヒンジ８と第二副アームの転がり支点部１３ｃの支点間の距離は、第一副アーム１２と第二主アーム１３が回転するほどに大きくなるので、バネ付きヒンジ６は急速に拡開され、付加的に増大した締付力で締め付けるようになる。
【００９８】
これにより、布団挟み１１は抜けにくくなり、増大したバネ付きヒンジ６の締付力によって元の状態に戻る。
【００９９】
本実施形態においても、第一副アーム１２と第二副アーム１３の回転角を一定の角度範囲内に制限することができる。この場合、第一副アームの近位部材１２ａと第二副アームの近位部材１３ａは一定の角度以上には回転せずに抜け防止の返しのように作用する。
【０１００】
また、第一副アーム１２と第二副アーム１３が遠位部材１２ｂ，１３ｂを有しないようにすることができる。すなわち、第一副アーム１２と第二副アーム１３は全体としてカム状の形状を有するようにすることができる。
【０１０１】
以下にさらに本発明の他の実施形態について説明する。
【０１０２】
図５は、本発明の他の実施形態による布団挟み１４を示している。
【０１０３】
図５において、図２と同一部分には同一の符号を付して説明を省略する。
【０１０４】
布団挟み１４は、バネ付きヒンジ１５を介して基端部が回転可能に接続され、先端部が閉じる方向に付勢された第一主アーム２と第二主アーム３を有している。
【０１０５】
バネ付きヒンジ１５は、上記実施形態と同様であるが、バネが外につけられたものを示している。むろん、上記実施形態のバネ付きヒンジのようにバネを内蔵したヒンジとすることもできる。
【０１０６】
第一主アーム２の先端部には第一ヒンジ７が設けられている。
【０１０７】
第一ヒンジ７を介して、第一主アーム２に、第一副アーム１６が回転可能に接続されている。第一副アーム１６は、バネ付きヒンジ１５に近づく方向に延在する近位部材１６ａを有している。
【０１０８】
第一副アームの近位部材１６ａの先端部、すなわち、もっともバネ付きヒンジ１５に近い部分には布団等と係合する係合部１６ｂが設けられている。
【０１０９】
第一副アームの近位部材１６ａは、近位部材１６ａが第一主アーム２と第二主アーム３の回転面内を第一主アーム２から離れる方向に所定角度回転すると回転が停止するように構成されている。
【０１１０】
すなわち、図５において、第一副アーム１６は時計回りに所定角度回転すると、それ以上回転しないように構成されている。
【０１１１】
第二主アーム３の先端部には第二ヒンジ８が設けられている。
【０１１２】
第二ヒンジ８を介して、第二主アーム３に、第二副アーム１７が回転可能に接続されている。第二副アーム１７は、バネ付きヒンジ１５に近づく方向に延在する近位部材１７ａを有している。
【０１１３】
第二副アームの近位部材１７ａの先端部、すなわち、もっともバネ付きヒンジ１５に近い部分には布団等と係合する係合部１７ｂが設けられている。
【０１１４】
第二副アームの近位部材１７ａは、近位部材１７ａが第一主アーム２と第二主アーム３の回転面内を第二主アーム３から離れる方向に所定角度回転すると回転が停止するように構成されている。
【０１１５】
すなわち、図５において、第二副アーム１７は反時計回りに所定角度回転すると、それ以上回転しないように構成されている。
【０１１６】
好ましくは、第一ヒンジ７と第二ヒンジ８にバネが内蔵され、第一副アーム１６と第二副アーム１７をそれぞれ第一主アーム２と第二主アーム３から離開する方向に付勢している。
【０１１７】
本実施形態の布団挟み１４によれば、布団挟み１４を装着するときは、第一副アーム１６と第二副アーム１７は順方向になり、すなわち第一副アーム１６と第二副アーム１７は第一主アーム２と第二主アーム３に格納されるように回転し、スムーズに布団挟み１４を装着させることができる。
【０１１８】
しかし、布団挟み１４が布団等から抜けさせられそうになると、第一副アーム１６と第二副アーム１７はそれぞれ第一主アーム２と第二主アーム３から離開する方向に回転し、所定の角度回転するとそれ以上回転せず、第一副アームの係合部１６ｂと第二副アームの係合部１７ｂが布団等と係合し、抜け防止の返しのようになって布団挟み１４の脱落を防止することができる。
【図面の簡単な説明】
【０１１９】
【図１ａ】本発明の一実施形態による布団挟みの斜視図。
【図１ｂ】本発明の一実施形態による布団挟みの斜視図。
【図１ｃ】本発明の一実施形態による布団挟みの斜視図。
【図２】本発明の一実施形態による布団挟みの作用を説明する図。
【図３】本発明の一実施形態による布団挟みの作用を説明する図。
【図４】本発明の他の実施形態による布団挟みの正面図。
【図５】本発明の他の実施形態による布団挟みの正面図。
【図６】従来の布団挟みの正面図。
【符号の説明】
【０１２０】
１  布団挟み
２  第一主アーム
３  第二主アーム
４  第一副アーム
４ａ  第一副アームの近位支点部
４ｂ  第一副アームの遠位支点部
５  第二副アーム
５ａ  第二副アームの近位支点部
５ｂ  第二副アームの遠位支点部
６  バネ付きヒンジ
７  第一ヒンジ
８  第二ヒンジ
９  布団
１０  手すり
１１  布団挟み
１２  第一副アーム
１２ａ  第一副アームの近位部材
１２ｂ  第一副アームの遠位部材
１２ｃ  第一副アームの転がり支点部
１３  第二副アーム
１３ａ  第二副アームの近位部材
１３ｂ  第二副アームの遠位部材
１３ｃ  第二副アームの転がり支点部
【図１ａ】
2006094920.tif 000003
【図１ｂ】
2006094920.tif 000004
【図１ｃ】
2006094920.tif 000005
【図２】
2006094920.tif 000006
【図３】
2006094920.tif 000007
【図４】
2006094920.tif 000008
【図５】
2006094920.tif 000009
【図６】
2006094920.tif 000010